(57)【要約】【課題】この発明は、巻き物を見ることを容易にすることで、画面が連続して展開していくという巻き物の特色を活かした視覚伝達媒体を提供することを課題とする。【解決手段】巻き物の画面の両端に軸を設けてパッケージの中に組み込み、この両軸につまみをつけて、このうちの1軸のつまみを手動で回転させて画面を動かして巻き物を見ることを容易にし、さらに巻き物の画面の前面にオブジェを配置し、オブジェと巻き物の画面が一体となって連続した画面展開をする劇場空間を構成する。また、巻き物のパッケージは本体と本体保護部分から成り、本体保護部分の表面を宛名面、裏面をメッセージ面として利用する。【選択図】図２
2005319741.tif 000002
【特許請求の範囲】
【請求項１】
巻き物の画面の両端に軸を設けてパッケージの中に組み込み、この両軸につまみをつけて、このうちの1軸のつまみを手動で回転させて画面を動かすことを特徴とする請求項１記載の巻き物式立体メール。
【請求項２】
前記巻き物は、さらに巻き物の画面の前面にオブジェを配置し、オブジェと巻き物の画面が一体となって連続した画面展開をする劇場空間を構成することを特徴とする請求項１記載の巻き物式立体メール。
【請求項３】
前記巻き物のパッケージは、一体化した本体と本体保護部分から成り、本体保護部分の表面を宛名面、裏面をメッセージ面として利用ができ、郵便物として配達後に本体と本体保護部分を切り離しができることを特徴とする請求項１又は2に記載の巻き物式立体メール。
【発明の詳細な説明】
【技術分野】
【０００１】
この発明は、ダイレクトメールやグリーティングカード等に利用する巻き物式立体メールの形状に関する。
【非特許文献１】薮田夏秋著  「あなただけの巻物・折り本づくり」日貿出版社  2002年
【非特許文献２】榊原悟著  「江戸の絵を愉しむ」岩波書店  2003年
【背景技術】
【０００２】
人目をひき、人々の心に訴え、できるだけ長く手元に置いて、じっくりながめてもらうために、ダイレクトメールやグリーティングカード等の郵便物には様々な加工やデザイン処理を施したものが用いられている。
【０００３】
また、中国から伝わり中世の日本で独自の美術様式として発展した巻き物は、画面が動くことで時間性を表現する（前記掲出非特許文献2）という特色を持つ視覚伝達媒体であり、その形状は図（1）に示すように1つの軸に横長の紙が巻かれている。
【発明の開示】
【発明が解決しようとする課題】
【０００４】
しかしながら、上記にあげた郵便物の形式は画面が静止しているのが一般的であり、他方で、画面が動くことで時間性を表現することを可能にする巻き物は、まず画面をひろげられるスペースを用意し、画面をひろげる、目で追う、巻き取るという動作を繰り返さなければならないために、見ることが容易でないという欠点があった。
【０００５】
そこでこの発明は、巻き物を見ることを容易にして、巻き物の形式が持つ特色を活かした、郵送可能な視覚伝達媒体を提供することを課題とする。
【課題を解決するための手段】
【０００６】
以上の課題を解決するために、第一発明は、巻き物の画面の両端に軸を設けてパッケージの中に組み込み、この両軸につまみをつけて、このうちの1軸のつまみを手動で回転させて画面を動かすことを特徴とする巻き物式立体メールである。
【０００７】
また、第二発明は、さらに巻き物の画面の前面にオブジェを配置し、オブジェと巻き物の画面が一体となって連続した画面展開をする劇場空間を構成することを特徴とする巻き物式立体メールである。
【０００８】
ここで連続した画面展開とは巻き物が動くことで画面が順次変化していくことをいう。また、劇場空間とはパッケージに開けられた窓から見ることで視点が固定され、オブジェと、背景となる巻き物の画面が立体構造になることをいう。
【０００９】
また、第三発明は、巻き物のパッケージは、一体化した本体と本体保護部分から成り、本体保護部分の表面を宛名面、裏面をメッセージ面として利用ができ、郵便物として配達後に本体と本体保護部分を切り離しができることを特徴とする巻き物式立体メールである。
【発明の効果】
【００１０】
第一発明によれば、これまで煩雑な動作や労力を要する巻き物を容易に見ることができるようになる。
【００１１】
また、第二発明によれば、画面展開をより活かした立体的な表現ができるようになる。
【００１２】
また、第三発明によれば、封筒が不要となり、また、通常は本体保護の目的だけに使われる部分を有効に活用できる。
【発明を実施するための最良の形態】
【００１３】
この発明の一実施形態を、図（2）、図（3）、図（4）、図（5）に示す。
図（2）のパッケージの内部本体（a）、（b）は発泡スチロール製であり、この本体（a）、（b）の内側には、印刷物の巻き物（c）が組み込まれている。巻き物の長さは巻き物に使用する印刷用紙の薄さやパッケージの厚みに比例するが、パッケージの厚さ15mmで薄口上質紙を使用した場合でおよそ縦5cmに対して横100cmを組み込むことができる。
【００１４】
巻き物（c）には両端にアルミ製又はプラスチック製の2つの軸（d）、（e）があり、軸にはすべり止めの溝がついた円柱形のゴム製又はプラスチック製のつまみ（f）とつまみ（g）が設けられている。
【００１５】
このつまみ（g）を時計まわりに回転させると巻き物（c）が軸（e）に巻き取られ、画面が右（上）から左（下）へと進む。反対につまみ（f）を反時計まわりに回転させると巻き物（c）が軸（d）に巻き取られ、画面は左（下）から右（上）へと進む。
【００１６】
このことから巻き物を見る事が容易になり、美術工芸品として見る機会が少なく、また展覧会などでは一部分しか見られなかった絵巻物などを縮小版として印刷し教育教材やミュージアムグッズとすることや、巻き物の形態をとった詩集や年表、写真集などの出版物としても利用できる。
【００１７】
パッケージの内部本体（a）、（b）を包むパッケージ外部（h）は厚紙製で印刷加工が可能でパッケージ外部の片面には窓（i）が開けてある。この窓（i）の内側には保護用のフィルム（j）が貼ってある。
【００１８】
巻き物（c）の画面の前にはオブジェ（k）が配置される。オブジェ（k）は紙、発泡スチロールやプラスチック、または軽量造形粘土や軽量木材、ゴム製の平面切り抜き加工物や立体物又は半立体物である。オブジェをキャラクターや製品、特産品を形どったものにし、背景の巻き物画面でキャンペーンや製品告知、会社案内、観光案内などを展開することができる。
【００１９】
また、絵本では主人公や語り手などをフィギア化したオブジェとし、背景の巻き物画面で物語を展開するといった表現もできる。また、物を切り抜いた写真をオブジェとして配置し、プライベートな写真を巻き物にすることで結婚式や卒業式、成人式などの贈り物や記念品、アルバムとして利用することもできる。
【００２０】
オブジェ（k）は金属製かプラスチック製の棒（l）により、あるいは直接パッケージ本体に固定されるか、本体より糸などで吊るされる。または固定せずにパッケージ内を自由に動くようにすることもできる。オブジェと棒（1）は固定であるが、つなぎ方によっては多少の動き（揺れる、回転する等）をつけることも可能になる。
【００２１】
図（3）に示すように軸（d）、（e）にはそれぞれ巻き物を巻く時のズレをおさえる紙、ナイロンまたはプラスチック製のストッパー（m）、（n）と（o）、（p）がついている。また、軸（d）と（e）は巻き物を巻く時の空回りを防ぐためにゴム製のストッパー（q）と（ｒ）がついている。
【００２２】
図（4）に示すようにパッケージは本体部分（A）と本体保護部分（B-1、2、3）から成り、本体と本体保護部分にはミシン目（s）、（t）、（u）、（v）が設けられている。本体保護部分（B）の表面（w）は郵送時の宛名面となり、裏面（x）はメッセージ面やPR面として利用できる。本体保護部分（B-1）、（B-2）、（B-3）は配達後にミシン目（s）、（t）、（u）、（v）から切り離すことができる。
【００２３】
また、縦長のパッケージにした場合の構造は図（5）に示すようになる。
【００２４】
これによって通常、郵送時だけに利用される本体の保護部分を宛名面やメッセージ面として有効に活用でき、見おえた後は置いたり、壁掛け用ホール（y）を使って壁にかけたりして飾り物にもなるので、卓上カレンダーや写真スタンドとして利用したり、ダイレクトメールなどのようにすぐに廃棄されたり、仕舞いこまれることが多いものを長期間、目にふれさせることができる。
「他の実施形態」
【００２５】
図（2）の実施形態では、つまみ（f）とつまみ（g）はゴム製又はプラスチック製であるが、樹脂でも可能。
【００２６】
図（2）の実施形態では、巻き物の前面にオブジェを配置するが、オブジェを配置せずパッケージ表面に印刷することでオブジェを代用させたり、巻き物だけでの利用も可能。
【００２７】
図（2）の実施形態では、巻き物の前面に配置するオブジェは金属製かプラスチック製の棒（l）によってパッケージ内部本体（b）に固定されるか、本体（b）より糸などで吊るされるが、巻き物の前面にさらに透明フィルムを設け、フィルム上に取り付けることも可能。
【００２８】
図（2）の実施形態では、保護用のフィルム（j）があるが、これを設けず、またパッケージ外部の窓（i）を切り抜きではなくミシン目を入れたフタ状にし、中に小物を入れて絵手紙や写真を添えられるギフトパッケージとすることもできる。
【００２９】
また図（2）の実施形態で、オブジェをフィギアやミニチュア模型とすることで物語り展開をする商品パッケージとして利用することもできる。
【図面の簡単な説明】
【００３０】
【図１】従来技術を示す斜視図である。
【図２】この発明の一実施形態を示す斜視図である。
【図３】この発明の一実施形態の構造を示すパッケージ内部本体の斜視図である。
【図４】この発明の一実施形態の構造を示す斜視図である。
【図５】この発明の一実施形態の構造を示す斜視図である。
【符号の説明】
【００３１】
（a）.  パッケージ内部本体
（b）.  パッケージ内部本体  
（c）.  巻き物 
（d）.  軸
（e）.  軸
（f）.  つまみ
（g）. つまみ
（h）.  パッケージ外部
（i）.  保護用フィルム
（j）.  保護用フィルム
（k）.  オブジェ
（l）.  オブジェ固定棒
（m）. ズレ防止ストッパー
（n）.  ズレ防止ストッパー
（o）.  ズレ防止ストッパー
（p）.  ズレ防止ストッパー
（q）.  空回り防止ストッパー 
（r）.  空回り防止ストッパー
（s）.  切り取り用ミシン目
（t）.  切り取り用ミシン目
（u）.  切り取り用ミシン目
（v）.  切り取り用ミシン目
（w）.  宛名面
（x）.  メッセージ面
（y）.  壁掛け用ホール
（A）.  パッケージ本体部分
（B-1）. パッケージ本体保護部分
（B-2）. パッケージ本体保護部分
（B-3）. パッケージ本体保護部分
【図１】
2005319741.tif 000003
【図２】
2005319741.tif 000004
【図３】
2005319741.tif 000005
【図４】
2005319741.tif 000006
【図５】
2005319741.tif 000007